(57)【特許請求の範囲】
【請求項１】
太陽電池モジュールを設置部に取り付けるために、前記設置部を挟持する太陽電池モジュールの固定金具において、
内天板部および前記内天板部の両端に接続されて前記内天板部に対して同一の側に延在する一対の内側板部を有し、前記内側板部のそれぞれの先端部に接続されて互いに間隔が狭くなる方向に延在する一対の挟持部をさらに有する内金具と、
外天板部および前記外天板部の両端に接続されて前記外天板部に対して同一の側に延在する一対の外側板部を有する外金具と、
前記内天板部及び前記外天板部を接続する接続具と
を備え、
前記一対の内側板部の間隔は、前記内天板部から離れるにつれて広くなり、
前記外金具は、前記外天板部に対する外側板部の延在する側と、前記内天板部に対する内側板部の延在する側とが同一の側となるように前記内金具に取り付けられ、
前記外側板部は、前記一対の内側板部の外側に前記内側板部と接触して位置し、
前記接続具にガイドされて前記内天板部を前記外天板部に近づけると、前記一対の挟持部の間隔も狭くなることで前記一対の挟持部が前記設置部を掴み、
前記設置部に取り付けられた際に、前記挟持部は、当該挟持部の先端部が前記内天板部に近づくように傾斜している
ことを特徴とする太陽電池モジュールの固定金具。
【請求項２】
前記太陽電池モジュールを前記外天板部と挟むことで前記太陽電池モジュールを保持する押え具を備える
ことを特徴とする請求項１に記載の太陽電池モジュールの固定金具。
【請求項３】
前記設置部に取り付けられた際に、前記挟持部は前記設置部を掴む部分に凹凸の形状を有する
ことを特徴とする請求項１または２に記載の太陽電池モジュールの固定金具。
【請求項４】
前記接続具の一端は、前記外金具が前記内金具に取り付けられた際の、前記内天板部の前記外天板部と反対側に接続されている
ことを特徴とする請求項１から３のいずれか１項に記載の太陽電池モジュールの固定金具。
【請求項５】
太陽電池モジュールを設置部に取り付けるために、前記設置部を挟持する太陽電池モジュールの固定金具において、
内天板部および前記内天板部の両端に接続されて前記内天板部に対して同一の側に延在する一対の内側板部を有し、前記内側板部のそれぞれの先端部に接続されて互いに間隔が狭くなる方向に延在する一対の挟持部をさらに有する内金具と、
外天板部および前記外天板部の両端に接続されて前記外天板部に対して同一の側に延在する一対の外側板部を有する外金具と、
前記内天板部及び前記外天板部を接続する接続具と
を備え、
前記一対の内側板部の間隔は、前記内天板部から離れるにつれて広くなり、
前記外金具は、前記外天板部に対する外側板部の延在する側と、前記内天板部に対する内側板部の延在する側とが同一の側となるように前記内金具に取り付けられ、
前記外側板部は、前記一対の内側板部の外側に前記内側板部と接触して位置し、
前記接続具の一端は、前記外金具が前記内金具に取り付けられた際の、前記内天板部の前記外天板部側に接続され、
前記接続具にガイドされて前記内天板部を前記外天板部に近づけると、前記一対の挟持部の間隔も狭くなることで前記一対の挟持部が前記設置部を掴むことを特徴とする太陽電池モジュールの固定金具。
【請求項６】
太陽電池モジュールを前記外天板部と挟むことで前記太陽電池モジュールを保持する押え具を備えることを特徴とする請求項５に記載の太陽電池モジュールの固定金具。
【請求項７】
前記外金具は、前記外天板部に接続されて前記外側板部と同一の方向に延在する折り曲げ部を有することを特徴とする請求項５または６に記載の太陽電池モジュールの固定金具。
【請求項８】
太陽電池モジュールを設置部に取り付けるために、前記設置部を挟持する太陽電池モジュールの固定金具において、
内天板部および前記内天板部の両端に接続されて前記内天板部に対して同一の側に延在する一対の内側板部を有し、前記内側板部のそれぞれの先端部に接続されて互いに間隔が狭くなる方向に延在する一対の挟持部をさらに有する内金具と、
外天板部および前記外天板部の両端に接続されて前記外天板部に対して同一の側に延在する一対の外側板部を有する外金具と、
前記内天板部及び前記外天板部を接続する第１の接続具と、
太陽電池モジュールを前記外天板部に固定する第２の接続具と
を備え、
前記一対の内側板部の間隔は、前記内天板部から離れるにつれて広くなり、
前記外金具は、前記外天板部に対する外側板部の延在する側と、前記内天板部に対する内側板部の延在する側とが同一の側となるように前記内金具に取り付けられ、
前記外側板部は、前記一対の内側板部の外側に前記内側板部と接触して位置し、
前記第１の接続具にガイドされて前記内天板部を前記外天板部に近づけると、前記一対の挟持部の間隔も狭くなることで前記一対の挟持部が前記設置部を掴むことを特徴とする太陽電池モジュールの固定金具。
【請求項９】
太陽電池モジュールを前記外天板部と挟むことで前記太陽電池モジュールを保持する押え具を備えることを特徴とする請求項８に記載の太陽電池モジュールの固定金具。
【請求項１０】
請求項１から９のいずれか１項に記載の太陽電池モジュールの固定金具を用いて設置された複数の太陽電池モジュールを有する
ことを特徴とする太陽電池ユニット。
【発明の詳細な説明】
【技術分野】
【０００１】
この発明は、太陽電池モジュールの取付け構造に関するものであり、特に折板屋根の山部に設けられたはぜに太陽電池モジュールを固定する金具の構造に関するものである。
【背景技術】
【０００２】
特許文献１には太陽電池モジュールの屋根への固定金具が開示されている。特許文献１の固定金具は、上辺部が重合し、かつ下辺部が相対向する２個のコ字型の挟持板有している。そして、下方側に位置する挟持板の上辺板部にボルトを上方に向けて挿入して、他方の挟持板の上辺部に長孔を設けて前記ボルトを貫通させ、このボルトにナットを締め付けることで屋根に設けられたはぜを挟持する。そして、このボルトに、対象となる太陽電池モジュールの屋根上設置具を固定する。
【先行技術文献】
【特許文献】
【０００３】
【特許文献１】実公平４−１１０６４号公報（２頁２行−１３行、第２図）
【発明の概要】
【発明が解決しようとする課題】
【０００４】
特許文献１に記載された固定金具は、板材を折り曲げて作製された略コ字型の挟持板の板端部ではぜの首部を挟持することで金具を屋根に固定する。はぜの首部は一般的に挟持板を構成する板材の厚さより長い所定の長さを有しており、薄い板材の端で挟持するだけでは、上下方向（はぜの立設方向）の位置が定まらずに、上方へ作用する引張り外力が働くと容易にずれてしまうという課題があった。また、横から働くねじり方向の外力に対しても、挟持部の板厚だけで咥える構成のため回転しやすいという課題があった。
【０００５】
上記のように建造物の屋根の上に設置された太陽電池モジュールは、風によって上方向へ引き上げようとする外力や横方向へねじろうとする外力を受ける。そのため、固定金具にはこれらの外力を受け止めて、太陽電池モジュールが脱落しないように、また位置ずれを起こすことがないようにすることが要求される。
【０００６】
この発明は、上記の課題を解決するためになされたものであり、太陽電池モジュールの建造物への固定を確実にまた作業性よく実現することができる太陽電池モジュールの固定金具を提供することを目的とする。また、この固定金具を使用して固定された太陽電池モジュールを含む太陽電池ユニットを提供することを目的とする。
【課題を解決するための手段】
【０００７】
上述した課題を解決し、目的を達成するために、本発明に係る太陽電池モジュールの固定金具は、太陽電池モジュールを設置部に取り付けるために、設置部を挟持する太陽電池モジュールの固定金具において、内天板部および内天板部の両端に接続されて前記内天板部に対して同一の側に延在する一対の内側板部を有し、内側板部のそれぞれの先端部に接続されて互いに間隔が狭くなる方向に延在する一対の挟持部をさらに有する内金具と、外天板部および外天板部の両端に接続されて前記外天板部に対して同一の側に延在する一対の外側板部を有する外金具と、内天板部及び外天板部を接続する接続具とを備え、一対の内側板部の間隔は、内天板部から離れるにつれて広くなり、外金具は、外天板部に対する外側板部の延在する側と、内天板部に対する内側板部の延在する側とが同一の側となるように内金具に取り付けられ、外側板部は、一対の内側板部の外側に内側板部と接触して位置し、接続具にガイドされて内天板部を外天板部に近づけると、一対の挟持部の間隔も狭くなることで一対の挟持部が設置部を掴み、設置部に取り付けられた際に、挟持部は、当該挟持部の先端部が内天板部に近づくように傾斜していることを特徴とする。
【発明の効果】
【０００８】
本発明によれば、太陽電池モジュールの外力による位置ずれや脱落を起こしにくく、太陽電池モジュールの建造物への固定を確実にまた作業性よく実現することができるという効果を奏する。
【図面の簡単な説明】
【０００９】
【図１】図１は、この発明の実施の形態１に係る固定金具の構成を示す側面図である。
【図２】図２は、この発明の実施の形態１に係る固定金具の内金具の拡大斜視図である。
【図３】図３は、この発明の実施の形態１に係る固定金具の屋根への固定状態を示す側面図である。
【図４】図４は、この発明の実施の形態１に係る固定金具、太陽電池モジュールおよびボルトの位置関係を示す斜視図である。
【図５】図５は、この発明の実施の形態１に係る固定金具の構成を示す分解斜視図である。
【図６】図６は、この発明の実施の形態１に係る固定金具を用いた太陽電池モジュールの設置状態を示す斜視図である。
【図７】図７は、この発明の実施の形態１の固定原理説明図である。
【図８】図８は、この発明の実施の形態１の固定原理説明図である。
【図９】図９は、この発明の実施の形態１に係る固定金具の他の構成を示す側面図である。
【図１０】図１０は、この発明の実施の形態２に係る固定金具の構成を示す側面図である。
【図１１】図１１は、この発明の実施の形態２に係る固定金具の屋根への固定状態を示す側面図である。
【図１２】図１２は、この発明の実施の形態３に係る固定金具の構成を示す側面図である。
【図１３】図１３は、この発明の実施の形態３に係る固定金具の屋根への固定状態を示す側面図である。
【発明を実施するための形態】
【００１０】
以下に、本発明にかかる太陽電池モジュールの固定金具及び太陽電池ユニットの実施の形態を図面に基づいて詳細に説明する。なお、この実施の形態によりこの発明が限定されるものではない。
【００１１】
実施の形態１．
図１は、この発明の実施の形態１に係る固定金具の構成を示す側面図である。図２は、この発明の実施の形態１に係る固定金具の内金具の拡大斜視図である。図３は、この発明の実施の形態１に係る固定金具の屋根への固定状態を示す側面図である。図４は、この発明の実施の形態１に係る固定金具、太陽電池モジュールおよびボルトの位置関係を示す斜視図である。図５は、この発明の実施の形態１に係る固定金具の構成を示す分解斜視図である。図６は、この発明の実施の形態１に係る固定金具を用いた太陽電池モジュールの設置状態を示す斜視図である。
【００１２】
最初に、図４、図５、図６に基づき太陽電池モジュールの設置場所について説明する。本実施の形態１の太陽電池モジュール３０１，３１１の設置場所は、建造物の屋根等を構成する折板屋根６０（図６）である。なお、太陽電池モジュールの符号は符号３０１を用いるが、同一の図の中で、区別する場合に符号３０１以外の３００番台の符号を用いる。同様に、固定金具の符号は符号１００を用いるが、同一の図の中で、区別する場合に符号１００以外の１００番台の符号を用いる。
【００１３】
［折板屋根及びはぜ］
折板屋根６０においては、所定の方向に延びる複数の山部６１が平行に形成されている。なお、本実施の形態においては、説明をわかりやすくするために図中に示した座標のように、設置される太陽電池モジュールの広がる方向をｘ方向及びｙ方向、つまりｘｙ面（このうち、山部６１の延びる方向をｘ方向）とし、このｘｙ面に垂直な方向をｚ方向として説明する。
【００１４】
はぜ６００は、折板屋根６０の山部６１の頂面中央に山部６１のほぼ全長にわたって立設されている。そして、はぜ６００は、山部６１の頂面からｚプラス（以降ｚ＋と表記する）方向に立ち上がる厚さの小さい首部６０２と、首部６０２の先端で断面円形状に膨らむはぜ部６０１とからなる。太陽電池モジュール３０１は、固定金具１００にて折板屋根６０に設けられたはぜ６００を挟持して、これにより折板屋根６０に設置される。
【００１５】
［固定金具］
図１、図２、図３に基づき、固定金具１００について説明する。本実施の形態の固定金具１００は、第１の金具である内金具１と、この内金具１に重なる第２の金具である外金具２と、内金具１と外金具２との間に設けられたねじ構造部３を含んで構成されている。固定金具１００は、折板屋根に設けられたはぜ６００を挟持することにより折板屋根６０に固定される。また、太陽電池モジュール３０１は押え板（押え具）３５を介して外金具２に締結されることにより、固定金具１００に固定される。
【００１６】
外金具２は、剛性の大きい板材を折り曲げることにより作製されている。そして、概略平板状を成し太陽電池モジュールの下面を支持する外天板部２１と、外天板部２１の両端部からｚ−方向（第１の方向）に折れ曲がって延び、外天板部２１とともに断面コ字型を成す一対の外側板部２２，２３とを有している。
【００１７】
一方、内金具１は、外金具２と比較して弾性の大きい板材を折り曲げることにより作製されている。そして、外金具２の内部に配置された概略平板状の内天板部１１と、この内天板部１１の両端部から外金具２より延出するようにテーパ状に広がって断面ハ字型に延びる一対の内側板部１２，１３と、この一対の内側板部１２，１３の先端部よりそれぞれ対向する方向に延び、開口部を狭める一対の挟持部１４，１５とを有している。一対の内側板部１２，１３は、外面が平滑に形成されており、この外平滑面に外金具２の外側板部２２，２３の先端を当接させている。
【００１８】
［内金具］
図１中、内側板部１２は、内天板部１１の右側の端部から屈折して斜め下方（ｚ−ｙ＋方向）に延びている。内側板部１３は、内天板部１１の左側の端部から屈折して斜め下方（ｚ−ｙ−方向）に延びている。挟持部１４は、内側板部１２の下端から内側（ｙ−方向）に屈曲して延びている。挟持部１５は、内側板部１３の下端から内側（ｙ＋方向）に屈曲して延びている。挟持部１４の先端は延出する方向に対して巻き返すように上側へ断面コ字型に折り返されており、先端部より上方（ｚ−方向）に延びる挟持部（当接面）１８１とこれに続いて巻き戻る屈曲部１８３を形成している。対向する挟持部１５も先端が上側へ巻き返すように断面コ字型に折り返され、上方（ｚ−方向）に延びる挟持部（当接面）１８２とこれに続いて巻き戻る屈曲部１８４を形成している。このようにして、はぜ６００の首部６０２に全体にわたり面当たり（面接触）する挟持部１８１，１８２を形成している。
【００１９】
内側板部１２が折板屋根６０にいまだ取り付けられてない状態においては、内側板部１２と内側板部１３とは、断面ハ字型（テーパ状）に広がり、両者の間隔は下方（ｚ−方向）に行くに連れて広くなっている。内側板部１２と内側板部１３との最も離れた部分の間隔は最大間隔Ｂである。内側板部１２の外寸長さは図１中Ｅなる長さにされている。また、内側板部１２と挟持部１４の成す角度θは９０°よりも小さくされている。同様に、内側板部１３と挟持部１５の成す角度θも９０°よりも小さく形成されている。挟持部１４と挟持部１５との最も狭い部分の間隔は間隔Ａである。間隔Ａは折板屋根６０のはぜ６００のはぜ部６０１の直径よりも大きい。なお、内金具１は弾性を有する材料で作製されているので、間隔Ａははぜ６００の直径よりも小さくてもはめ込むことができる。そのたあめ、間隔Ａははぜ６００の首部６０２の幅Ｗよりも大きければよい。
【００２０】
図２に示すように、挟持部１８２の外側面の（はぜ６００の首部６０２との対向面）には、滑りを防止して把持性を向上させるために、例えばプレス加工等により全面にわたり凹凸１９２が形成されている。対称に構成される挟持部１８１の外側面（図示の裏側）にも、同様にして凹凸１９１が形成されている。
【００２１】
［外金具］
図１に戻り、外金具２においては、図１中、外側板部２２は、外天板部２１の右側の端部から屈曲した後に下方（ｚ−方向）に延びている。同様にして、外側板部２３は、外天板部２１の左側の端部から屈曲した後に下方（ｚ−方向）に延びている。外側板部２２，２３の内寸は図１中Ｆなる長さに形成されており、内金具１の内側板部１２，１３の外寸長さＥよりも大きな寸法に形成されている。
【００２２】
外天板部２１の略中央に穴２１ａが開口されている。穴２１ａにはボルト３１が貫通している。太陽電池モジュール３０１は、外金具２の外天板部２１の上面に支持される。押え板（押え具）３５は太陽電池モジュール３０１を上方から押える。第１のナット３２はボルト３１に締めつけて固定される。第１のナット３２は外金具２を内金具１の上方に固定する。第２のナット３３はボルト３１に締めつけて固定される。第２のナット３３は太陽電池モジュール３０１を外金具２の外天板部２１上に押え板３５を介して固定する。つまり、太陽電池モジュール３０１は外金具２の外天板部２１と押え板３５とに挟まれて固定される。
【００２３】
［ねじ構造部］
外天板部２１と内天板部１１との間に両者間の間隔を変えるねじ構造部３が設けられている。内天板部１１と外天板部２１には、それぞれ略中央に穴１１ａ，２１ａが開口されている。ねじ構造部３は、ボルト３１を内天板部１１に形成された穴１１ａにｚ−側からｚ＋側へ貫通させて頭部３１ａを内天板部１１に固着されている。ボルト３１の脚部（有効ねじ部）は、ｚ＋方向へ突出している。ボルト３１の脚部は、さらに外天板部２１に形成された穴２１ａにも貫通している。ねじ構造部３は、ボルト３１と、外天板部２１のｚ＋側でボルト３１に螺号する第１のナット３２とから構成されている。
【００２４】
ボルト３１は、穴１１ａに貫通された後、頭部３１ａを、溶接やかしめ、或いは接着剤などを用いて内天板部１１に固着される。これにより、ボルト３１は内金具１に固定され、軸まわりに回転することがない。
【００２５】
ねじ構造部３は、第１のナット３２を締めつけらて、相対的に内天板部１１を外天板部２１に近づける。内金具１は外金具内２より弾性の大きな材料で作製されているので、内金具１を外金具内２に引き込むことにより、外側板部２２，２３の先端を内側板部１２，１３の外面にて滑らせ、一対の挟持部１４，１５間の間隔を狭め、これにより、折板屋根に設けられたはぜ６００の首部６０２を挟持して、折板屋根６０に固定される。一方、太陽電池モジュール３０１は押え板（押え具）３５を介して第２のナット３３にて外天板部２１に締結される。
【００２６】
［締結］
上記のように、ボルト３１及び第１のナット３２は、外天板部２１と内天板部１１との間隔を可変とするねじ構造部３を構成している。一方、ボルト３１、第２のナット３３及び押え板３５は、外天板部２１に太陽電池モジュール３０１を締結する締結部（固定手段）６を構成している。つまり、ボルト３１は、ねじ構造部３と締結部（固定手段）６とで共用されている。なお、本実施の形態１においては、外天板部２１に太陽電池モジュール３０１を固定する固定部として、上記のように締結手段を用いているが、太陽電池モジュール３０１の外天板部２１への固定は、ねじ止めに限らず係合手段などの方法でもよい。
【００２７】
［作業手順］
次に、太陽電池モジュール３０１の取り付け作業手順について説明する。図１及び図３において、作業者は、内金具１の挟持部１４，１５ではぜ６００の首部６０２を挟んで固定金具１００を折板屋根６０に取り付ける。はぜ６００は折板屋根６０の山部６１の頂面に立設されている。はぜ６００の断面形状は、幅の小さい直線状の首部６０２の上端に、首部６０２の幅より大きい直径の円形のはぜ部６０１が連結された形状である。
【００２８】
次に、ボルト３１に第１のナット３２を締めつける。これにより、外金具２はｚ−方向に下がり、内金具１が外金具２内に引き込まれ、内金具１の内側板部１２，１３は間隔Ｂが狭められる。やがて、間隔Ａは折板屋根６０の首部６０２の幅Ｗと等しくなった以後は、外金具２の外側板部２２，２３が撓んで、所定の力で折板屋根６０の首部６０２を挟持する。外側板部２２，２３の間隔は、太陽電池モジュール３０１を折板屋根６０に固定した後では間隔Ｄである。外側板部２２，２３が撓んでいるため、間隔Ｄの値は間隔Ｃ値よりも大きい。外金具２の外側板部２２，２３が撓むことで、挟持部１４，１５は首部６０２への挟持力を発生する。さらにナット３２の締めつけを継続すると、内側板部１２，１３の長さＥより、外金具２の外側板部２２，２３の長さＦの方が大きく形成されているので、外側板部２２，２３の下端部が折板屋根６０の山部６１に当たる。さらにナット３２の締めつけを継続すると、外天板部２１が内天板部１１の上側に接する。これで固定金具１００の折板屋根６０への固定が完了する。
【００２９】
図３に示すように、内金具１は外金具２内側に収まっている。外側板部２２，２３の下端部は折板屋根６０の山部６１に当たっている。挟持部１４，１５はそれぞれ外側板部２２，２３との接合点よりも先端が上方になっており、屈曲部１８３，１８４がはぜ６００のはぜ部６０１と首部６０２が成す角部へ押し付けられる。
【００３０】
図４は、太陽電池モジュール３０１，３１１、ボルト３１および押え板３５の位置関係を示している。太陽電池モジュール３０１，３１１は外金具２の外天板部２１の上面に載置される。図４に示すように、第１のナット３２は、隣接する２つの太陽電池モジュール３０１，３１１の間に位置する（図４では、押え板３５に隠れて見えない）。押え板３５の略中央に形成された穴３５ａ（図１）にボルト３１を通し、押え板３５を取り付ける。図４に示すように、押え板３５は隣接する太陽電池モジュール３０１，３１１のボルト３１側の端部を押える。第２のナット３３をボルト３１に締めつける。ナット３３は押え板３５を上方から押圧する。押え板３５は隣接する２つの太陽電池モジュール３０１，３１１を外金具２の外天板部２１に押し当てて、この隣接する２つの太陽電池モジュール３０１，３１１を固定金具１００に固定する。
【００３１】
図５は、太陽電池モジュール３０１を折板屋根６０の上に並べた端の部分の固定金具１００の構成を示している。図５に示すように、複数並べられた太陽電池モジュール３０１の端部の太陽電池モジュール３０１においては、押え板３５の代わりに、Ｌ字状に折り曲げられた板金部品である補助具（押え具）３６を用いる。
【００３２】
図６は、固定金具１００を用いて複数の太陽電池モジュール３０１，３０２，３１１，３１２を設置した状態を示す。図６において、折板屋根６０は、たとえば建造物の傾斜している屋根である。太陽電池ユニットはこのように複数の太陽電池モジュール３０１，３０２，３１１，３１２が設置されたものである。通常は、最初に固定金具１００，１０１が折板屋根６０の山部６１に固定される。その後、太陽電池モジュール３０１，３０２を固定金具１００，１０１の上に置いて固定する。その後、太陽電池モジュール３０１，３０２を固定金具の上方から設置して、第２のナット３３を締める。これらの作業によって太陽電池モジュール３０１，３０２は折板屋根６０に固定される。なお、従来の固定金具は、予め精度良く折板屋根６０の上に位置決めされて取り付けられ、ピッチＰで折板屋根６０の上に並べられ、横向きのねじを締めて固定されていたので作業性が悪かった。
【００３３】
［原理］
図７及び図８は、この実施の形態１の固定金具１００の原理を説明するものである。本実施の形態の固定金具１００は、図７の模式図に示すように、山部６１と幅Ｄの距離で接する外側板部２２，２３の先端部２２ａ，２３ａの２箇所と、はぜ部６０１と首部６０２の角と接する屈曲部１８３，１８４とが三つの角をすべて鋭角とする略三角形を形成するために、風によって太陽電池モジュール３０１に作用する横向き外力Ｍによるモーメントに対して、高剛性な固定を実現することができる。
【００３４】
また、同じく図８の模式図に示すように、太陽電池モジュール３０１に作用する負圧、つまり太陽電池モジュール３０１を持ち上げようとする外力Ｎが作用した場合には、挟持部１４，１５は内側板部１２，１３との接点を支点として、図中矢印のように内向きに倒れるように変形しようとし、挟持部１８１，１８２をより強く首部６０２に押し付けるように作用して、より強固な保持力を実現する。また、挟持部１８１，１８２の挟持面（当接面）に凹凸を施すことによって、屋根傾斜方向の保持力（図２において、ｘ方向）を向上することができ、安定な固定を実現する。また、屈曲部１８３，１８４が首部６０２へ押し付けられていることで、接触面積が増し、より強固な保持力を実現する。
【００３５】
また、挟持部１８２，１８１の挟持面（当接面）に凹凸１９２，１９１（図２）が形成されているため、挟持しているはぜ首部６０２との摩擦力が増し、特にｘ方向（図２）へのずれを防止する効果を奏する。
【００３６】
なお、本実施の形態に係る固定金具１００においては、精度の良い位置決め作業は必要としない。まず、作業者は墨だし等を用いて第一列目の基準線を折板屋根６０の上に描く。墨出しとは、工事中に必要な線や位置などを床や壁などに表示する作業である。固定金具１００はその基準線に沿って固定される。次に、第２列目の固定金具１０１は、おおよその位置に仮に固定される。第１列目の太陽電池モジュール３０１，３０２が固定金具１００，１０１の上に置かれる。
【００３７】
この際、第２列目の固定金具１０１は折板屋根６０に仮に固定されているので、太陽電池モジュール３０１，３０２の位置に合せて第２列目の固定金具１０１の位置は微調整できる。固定金具１０１は太陽電池モジュール３０１，３０２に沿う位置に移動して仮に固定される。同様に第３列目の固定金具をおおよその位置に仮に固定し、第２列目の太陽電池モジュール３１１，３１２を固定する。上述の手順に従って、固定金具１００は折板屋根６０の上に固定されて、太陽電池モジュール３０１，３０２，３１１，３１２は設置される。
【００３８】
このように、本実施の形態１の固定金具１００は、ボルト３１およびナット３２を用いて上方からの締着作業だけで、横力や負圧(引き剥がし力)に対して、固定力の強い固定金具を実現できる。固定金具１００は、ボルト３１およびナット３３を用いて上方からの締着作業で太陽電池モジュール３０１を固定金具１００に固定できる。このため、固定金具１００を折板屋根６０の上に仮に固定した状態で、太陽電池モジュール３０１は、固定金具１００の上に配置できる。事前に固定金具を折板屋根６０の上に精度よく固定する必要が無い。また、太陽電池モジュールを取り外して、固定金具の位置を再調整する必要もなくなる。このように本実施の形態１に係る固定金具１００は、作業性に優れた固定金具を提供できる。
【００３９】
図９は、この発明の実施の形態１に係る固定金具の他の構成を示す側面図である。上記の本実施の形態１は、挟持部１４の先端は上方へ屈曲して所定長さ延びて挟持部１８１を形成したが、図９に示すように下方へ屈曲して所定長さ延びて挟持部１８１を形成してもよい。
【００４０】
以上のように、本実施の形態の太陽電池モジュールの固定金具は、太陽電池モジュール３０１を支持する外天板部２１、及び外天板部２１の両端部からｚ−方向（第１の方向）に折れ曲がり外天板部２１とともに断面コ字型を成す一対の外側板部２２，２３を有する外金具２と、弾性材料で作製され、外金具２の内部に配置された内天板部１１、内天板部１１の両端部から断面ハ字型に折れ曲がり先端部を外金具２から延出させ、外面に外側板部２２，２３の先端を当接させる一対の内側板部１２，１３、及び一対の内側板部１２，１３の先端部からそれぞれ内側に折れ曲がり所定の間隔を空けて突き合う一対の挟持部１４，１５を有する内金具１と、外天板部２１と内天板部１１との間に設けられ両者間のｚ−方向（第１の方向）の間隔を可変とするねじ構造部３と、太陽電池モジュール３０１を外天板部２１に固定するナット３３（固定手段）と、を備え、ねじ構造部３は、内天板部１１を外天板部２１に近づけて内金具１を外金具２内に引き込むことにより、外側板部２２，２３の先端を内側板部１２，１３の外面にて滑らせ、一対の挟持部１４，１５の間隔を狭めることにより、挟持部１４，１５ではぜ６００の首部６０２を挟持する。そのため、太陽電池モジュール３０１の外力による位置ずれや脱落を起こしにくく、太陽電池モジュール３０１の建造物へ固定を確実にまた作業性よく実現することができる。
【００４１】
また、本実施の形態の太陽電池モジュールの固定金具によれば、内天板部１１に頭部３１ａを固定されて脚部を外天板部２１に貫通させるボルト３１を備え、ボルト３１は、第１のナット３２とともにねじ構造部３を構成し、また、ボルト３１は、第２のナット３３及び押え板３５（押え具）とともに固定手段を構成する。すなわち、ボルト３１は、ねじ構造部３と締結部（固定手段）６とで共用されているので、部品点数を削減してコストダウンを図ることができる。
【００４２】
実施の形態２．
図１０は、この発明の実施の形態２に係る固定金具の構成を示す側面図である。図１１は、この発明の実施の形態２に係る固定金具の屋根への固定状態を示す側面図である。図１１は固定金具１００Ｂが折板屋根６０に固定された状態を示している。実施の形態１においては、ボルト３１は、内金具１の内天板部１１の下側から取り付けられている構成としたが、本実施の形態２では、図１０に示すように、ボルト３１は、頭部３１ａが内天板部１１の上面に固着されている。図１０において、内金具１の内天板部１１の略中央の上面にはボルト３１が溶接やかしめ、或いは接着等によりｚ＋方向に突設されている。外側板部２２，２３の先端部は、内側板部１２，１３の外面を滑り安く、内金具１を引き込み易いように外側に折り曲げられて屈曲端２４，２５を形成している。天板部２１の端辺は、ｚ−向へ折り曲げられて端辺に折り曲げ部２１ｂを形成している。下方への突出量Ｙは、ボルト３１の頭部３１ａの高さＸよりも大きい。実施の形態１で説明した固定金具１００の構成要素と同様の構成要素には、同一符号を付し、その説明を省略する。
【００４３】
図１１に示すように、ナット３２の締め付け後の状態で外金具２の折り曲げ部２１ｂは、内金具１の内天板部１１の上面に接して、ボルト３１の頭部３１ａが外天板部２１の下面の接触しないようにしている。本実施の形態２では、ボルト３１を内天板部１１の上面に固定する構成としたので、内天板部１１の略中央にボルト３１を貫通させる穴を設ける加工を必要とせず、コストダウンを図ることができる。
【００４４】
実施の形態３．
図１２は、この発明の実施の形態３に係る固定金具の構成を示す側面図である。図１３は、この発明の実施の形態３に係る固定金具の屋根への固定状態を示す側面図である。図１３は、固定金具１００Ｃが折板屋根６０に固定された状態を示している。上記実施の形態１及び２では、内天板部１１に雌ねじ手段としてのナット３２を略中央に１つ設ける構成としていたが、本実施の形態３の固定金具１００Ｃによれば、図１２に示すように、雌ねじ手段（ねじ構造部）としての第１のナット４５と、第２のナット４６が２つ固定されている。初期状態において、第１のナット４５に締めこまれる第１のボルト４７は、外天板部２１に設けられた穴を貫通して第１のナット４５に仮止めされている。内金具１、外金具２を予め一体化しておくことができるので、金具取扱いの作業性が優れる。
【００４５】
ボルト４７及びナット４５は、外天板部２１と内天板部１１との間隔を変えるねじ構造部を構成している。ボルト４８、ナット４６及び押え板３５は、外天板部２１に太陽電池モジュール３０１を締結する締結部を構成している。
【００４６】
まず、ボルト４７を締め込むことによって、内金具１、外金具２を折板屋根６０に固定することができる。次に、太陽電池モジュール３０１は外金具２の外天板部２１の上に置かれる。第２のボルト４８を押え板３５の略中央に空いた穴２１ａに通して、第２のナット４６に締め込むことで、押え板３５は隣接する２つの太陽電池モジュール３０１，３１１を外金具２の外天板部２１に押し当てて、この隣接する２つの太陽電池モジュール３０１，３１１を固定する。
【００４７】
なお、上述の各実施の形態においては、「平行」や「垂直」などの部品間の位置関係もしくは部品の形状を示す用語を用いている場合がある。また、略正方形、略９０度および略平行など「略」または「ほぼ」などの用語をつけた表現を用いている場合がある。これらは、製造上の公差や組立て上のばらつきなどを考慮した範囲を含むことを表している。このため、請求の範囲に例え「略」を記載しない場合であっても製造上の公差や組立て上のばらつきなどを考慮した範囲を含むものである。また、請求の範囲に「略」を記載した場合は製造上の公差や組立て上のばらつきなどを考慮した範囲を含むことを示している。
【産業上の利用可能性】
【００４８】
以上のように、本発明にかかる太陽電池モジュールは、建造物に設けられたはぜを挟持して太陽電池モジュールを前記建造物に取り付ける太陽電池モジュールの固定金具に有用であり、特に、折板屋根の山部に設けられたはぜを挟持して太陽電池モジュールを建造物に取り付ける太陽電池モジュールの固定金具に適している。
【符号の説明】
【００４９】
１  内金具
２  外金具
３  ねじ構造部
６  締結部（固定手段）
１１  内天板部
１１ａ，２１ａ，３５ａ  穴
１２，１３  内側板部
１４，１５  挟持部
１６，１７  屈曲部
２１  外天板部
２１ｂ  折り曲げ部
２２，２３  外側板部
２４，２５  屈曲端
３１，４７，４８  ボルト
３２，３３，４５，４６  ナット
３５  押え板（押え具）
３６  補助具（押え具）
６０  折板屋根
６１  山部
６００  はぜ
６０１  はぜ部
６０２  首部
１００，１０１，１００Ｂ，１００Ｃ  固定金具
１８１，１８２  挟持部（当接面）
１８３，１８４  屈曲部
１９１，１９２  凹凸
３０１，３０２，３１１，３１２  太陽電池モジュール
Ａ，Ｂ，Ｃ，Ｄ  間隔
Ｗ  幅
Ｅ，Ｆ  長さ
【図１】
0005745357.tif 000002
【図２】
0005745357.tif 000003
【図３】
0005745357.tif 000004
【図４】
0005745357.tif 000005
【図５】
0005745357.tif 000006
【図６】
0005745357.tif 000007
【図７】
0005745357.tif 000008
【図８】
0005745357.tif 000009
【図９】
0005745357.tif 000010
【図１０】
0005745357.tif 000011
【図１１】
0005745357.tif 000012
【図１２】
0005745357.tif 000013
【図１３】
0005745357.tif 000014